(57)【要約】【課題】収納ケース外部からの加圧による記録媒体の係合解除が発生しない保持装置であり、記録媒体の係合を解除した時記録媒体が落下しにくい記録媒体保持装置を提案する。【解決手段】着脱部材にはボタン部９と、該ボタン部９に連動して揺動する記録媒体７の外辺持ち上げ部１０と、該外辺持ち上げ部１０には記録媒体７外辺に係止する一ヶ所以上の外辺フック１１を設けた構造とした。【選択図】図１
2006051955.tif 000002
【特許請求の範囲】
【請求項１】
記録媒体を保持する装置であって、本体には記録媒体の外辺が載る外辺受け台座と、記録媒体の一ヶ所以上の外辺部を支持すると共に外辺に係止する着脱部材とを設け、該着脱部材にはボタン部と、該ボタン部に連動して揺動する記録媒体の外辺持ち上げ部と、該外辺持ち上げ部には記録媒体外辺に係止する一ヶ所以上の着脱フックを設けたことを特徴とする装置。
【請求項２】
記録媒体を保持する装置であって、ボタン部と、記録媒体の外辺持ち上げ部と、該外辺持ち上げ部には記録媒体外辺に係止する一ヶ所以上の着脱フックを備え、本体とボタン部の間および該ボタン部と記録媒体の外辺持ち上げ部の間および該外辺持ち上げ部と該本体の間にヒンジを配したことを特徴とする装置。
【請求項３】
ボタン部を押し、外周持ち上げ部と該外周持ち上げ部に配された着脱フックが持ち上がった状態において、蓋を閉じる時、該蓋の内壁と該着脱部材の一部が緩衝する位置にあり、該蓋を閉じることにより該着脱部材の一部が押され、よって該外周持ち上げ部およびボタン部が元の位置に戻ることを特徴とする請求項１または請求項２に記載の記録媒体を保持する装置。
【請求項４】
上記外辺受け台座に記録媒体外辺に係止する一ヶ所以上の外辺フックを設けたことを特徴とする請求項１から請求項３のいずれか１項に記載の記録媒体を保持する装置。
【請求項５】
中央受け部材を設けた、または該中央受け部材に凹部を設けたことことを特徴とする請求項１から請求項４のいずれか１項に記載の円盤状形態の記録媒体を保持する装置。
【請求項６】
上記外辺受け台座に一ヶ所以上の切り欠き部を設けたことを特徴とする請求項１から請求項５のいずれか１項に記載の記録媒体を保持する装置。
【請求項７】
記録媒体を収納する為のケースを閉じることにより、上記外辺受け台座に記録媒体外辺に係止する外辺フックの動きを矯正する凸部位を設けたことを特徴とする請求項１から請求項６のいずれか１項に記載の記録媒体を保持する装置。
【請求項８】
記録媒体を収納する為のケースを閉じることにより、記録媒体表面を押える面当て部を配したことを特徴とする請求項１から請求項７のいずれか１項に記載の記録媒体を保持する装置。
【請求項９】
上記ボタン部の下部付近に該ボタン部の当り部を設けたことを特徴とする請求項１から請求項８のいずれか１項に記載の記録媒体を保持する装置。
【請求項１０】
上記着脱部材の周辺に本体の補強部材を設けたことを特徴とする請求項１から請求項９のいずれか１項に記載の記録媒体を保持する装置。
【請求項１１】
請求項１から請求項１０のいずれか１項に記載の記録媒体を保持する装置を有するケース。
【請求項１２】
請求項１から請求項１０のいずれか１項に記載の記録媒体を保持する装置を有する記録媒体の収納機器。
【発明の詳細な説明】
【技術分野】
【０００１】
本発明は、ＣＤ、ＤＶＤ、ゲームソフト等の円盤状記録媒体であるディスクを保持し、安定して保持されると共に容易に取り外すことが出来る保持装置に関するものである。
【背景技術】
【０００２】
ＣＤ、ＤＶＤ、ゲームソフト等の円盤状記録媒体であるディスクは、中心に小さな円形穴を貫通して設けられている。そして、該円盤状記録媒体は厚さの薄い収納ケースに収納されているが、該収納ケースはベース側最広面を持つ箱型形状の本体とカバー側最広面を持つ蓋からなっている。
【０００３】
ところで、円盤状記録媒体は本体のベース中央部に設けた保持部が円盤状記録媒体の中央穴に嵌ることで取付けられる。該保持部の形態は色々知られている。特許公表２００２−５３９５７８号、特表２０００−５０８９９７号、特表平１０−５０２５９９号。
【０００４】
これら円盤状記録媒体の中央穴に嵌ることで取付けられる保持装置は、収納ケースを閉じた状態に置いて、収納ケースの外部から円盤状記録媒体の中央穴付近を加圧した場合、円盤状記録媒体の係合が解除され、円盤状記録媒体が収納ケース内にてガタツク問題がある。この状態で輸送等の振動が加わった場合、ディスク表面が傷つく問題があった。
【０００５】
これに対し、ディスク外周縁を止着するようにしたディスク保持装置も知られている。例えば、特開平１１−７９２６９号に係る「ディスク保持装置」は、ディスクを挿入するほぼ円形の開口部を形成する一対の弧状のロケーターと、担持部材とクリップ部材とからなるディスクを偏倚させてクリップ部材と係合させるリーフスプリングのような手段とを備えている。
【０００６】
該ディスク保持装置にディスクを係合する際、担持部材にディスクを引っ掛けるためには挿入方向が発生する。またディスク解放時はレバーを備えたクリップ部材を押すことにより係合が解除される。しかし、このような上記２点支持ではディスクの固定時および解放時にディスクが安定し難いといった問題もある。
【０００７】
これに対し、発明者は、特願２００２−３８０６９３にて「円盤状記録媒体の収納ケース」を提案している。この時の構成は、「円盤状記録媒体の外周部を支持すると共に外周に係止する着脱部材を上記外周縁を切欠いて設け、該着脱部材は揺動するレバーの内側にディスク外周部が載って支持される持ち上げ部を有すると共に外側にはボタンを形成し、そしてレバーにはディスク外周に係止するフックを設けた。」としている。
【０００８】
この場合、ボタンは円盤状記録媒体の外周縁から距離があり、ボタンを押して円盤状記録媒体の係合を解除した後、あらためて記録媒体を持つ動作をする必要があった。つまり、収納ケースを傾けて保持しボタンを押した場合、ディスクの係合が解除され、そのままディスクが落下する場合があった。
【特許文献１】特表平１０−５０２５９９号
【特許文献２】特開平１１−７９２６９号
【特許文献３】特表２０００−５０８９９７号
【特許文献４】特許公表２００２−５３９５７８号
【特許文献５】特願２００２−３８０６９３号
【発明の開示】
【発明が解決しようとする課題】
【０００９】
このように、従来の円盤状記録媒体の保持装置には、上記のごとき問題がある。本発明が解決しようとする課題は、これらの問題であり、収納ケース外部からの加圧による記録媒体の係合解除が発生しない保持装置であり、記録媒体の係合を解除した時記録媒体が落下しにくい記録媒体保持装置の提供である。
【課題を解決するための手段】
【００１０】
本発明にかかる記録媒体の保持装置は、本体と蓋から成り、蓋は本体を被覆することができる。本体のベースには記録媒体の外辺が載る外辺受け台座６と、記録媒体の一ヶ所以上の外辺部を支持すると共に外辺に係止する着脱部材を備えている。
【００１１】
そして、該着脱部材にはボタン部９と、該ボタン部９に連動して揺動する記録媒体７の外辺持ち上げ部１０と、該外辺持ち上げ部１０には記録媒体７の外辺に係止する一ヶ所以上の外辺フック１１を設けた構造としている。
【００１２】
さらに、ボタン部９と持ち上げ部１０は、本体１に対し、薄肉部にて形成したヒンジ１４、ヒンジ１６にて揺動可能に繋がっている。つまり、本体１、ヒンジ１４、ボタン部９、ヒンジ１５、持ち上げ部１０、ヒンジ１６、本体１となるように配置形成されている。
【発明の効果】
【００１３】
本発明の記録媒体を保持する装置は、記録媒体の外形縁部を保持するため、収納ケースの外部から円盤状記録媒体の中央穴付近を加圧した場合でも保持部の係合が解除されることはなくなった。さらに、記録媒体を取り上げる場合、ボタン部９を押した指が記録媒体の外形縁近位置にあり、指があることにより記録媒体の落下防止につながった。
【発明を実施するための最良の形態】
【００１４】
記録媒体の外辺持ち上げ部１０に二ヶ所の外辺フック１３を設け、該外辺フック１３、１３間の距離を開ける。この時、ボタン部９を押して記録媒体の係合を解除したとき、ボタン部９を押した指がそのまま記録媒体の縁に当り、記録媒体を収納ケースから取り外しやすくなる。
【実施例】
【００１５】
本発明に係る実施例を図面に基づいて詳細に説明する。図１は本発明に係る記録媒体を保持する装置を備えた収納ケースの実施例であり、記録媒体は円盤状記録媒体のディスクであるＤＶＤ７の収納ケースを例として記載している。同図の１は本体、２は蓋を示し、本体１はベース側最広面を持つ箱型形状を成し、蓋２はカバー最広面を有し、そして蓋は繋ぎ部３を介して本体１に繋がっている。蓋２は、当り部７を備えている。収納ケースにディスクを収納しケースを閉じた時、当り部７は、ＤＶＤの表面を押える位置に配されている。
【００１６】
図３、図４は、着脱部材８の拡大図である。着脱部材８は、補強部材１８を備えた本体１からヒンジ１４、ボタン部９、ヒンジ１５、持ち上げ部１０、ヒンジ１６、本体１と揺動可能に繋がっている。
【００１７】
さらに、ボタン部９は加圧面を凹形状とし、外辺持ち上げ部１０の左右端には着脱フック１３を設けている。
【００１８】
図２は、ＤＶＤ７を収納ケースに収めた状態を示した実施例である。ＤＶＤは、中央受け部４、外辺受け台座６、外辺持ち上げ部１０の上に置かれ、外辺フック１１と着脱フック１３に係り、着脱自在に係合している。この状態にて収納ケースを閉じるならば、ＤＶＤは、中央受け部４、外辺受け台座６、外辺持ち上げ部１０と蓋２の当り部７、外辺フック１１、着脱フック１３の間に収まり、ガタツキなく収納される。
【００１９】
図５は、ヒンジで繋がった部分の高さ方向を示す断面図であって、（ａ）は、通常状態を示し、（ｂ）は、ボタン部９を押圧した状態を示している。図５（ａ）に対し、ボタン部９を押圧するならば、ボタン部９は、ヒンジ１４を軸として揺動し、ヒンジ１５は沈降し、外辺持ち上げ部１０はヒンジ１６を軸として揺動し、外辺持ち上げ部１０は、浮上する。さらに、該外辺持ち上げ部１０に配した着脱フック１３も揺動しディスク２０から係合が解除される方向へ揺動し、ディスク２０へのフック１３の係合は解除される。
【００２０】
また、図５（ｂ）の状態にて蓋２を閉じた場合、蓋２の内壁は着脱フック１３の頭部を加圧し、該着脱フック１３の頭部を加圧された外辺持ち上げ部１０はヒンジ１６を軸として揺動し図５（ａ）の状態へもどる。
【００２１】
図６は、ボタン部９、外辺持ち上げ部１０の高さ方向を示す断面図であって、（ａ）は、通常状態を示し、（ｂ）は、ボタン部９を押圧した状態を示している。通常状態において、ボタン部９は、外辺持ち上げ部１０より高い位置にある。
【００２２】
図６（ａ）に対し、ボタン部９を押圧するならば、ボタン部９と外辺持ち上げ部１０との高さ方向の位置関係は逆転する。この時ボタン部９を押した指は、そのままディスク端面を押えることが出来る。ボタン部９を親指にて加圧し、人差し指をディスク中央穴に差し込むならば、手の小さな人にも楽にディスクを持つことが出来る。
【００２３】
また、さらに強くボタン部９を押圧するならば、ボタン部９の下端部は、当り部１７に当り、ボタン部９の動きを制限する。
【００２４】
収納ケースに対しディスク２０を収納する場合、ディスク２０を中央受け部４、外辺受け部６、外辺持ち上げ部１０の上に置き、図６（ｂ）の状態になる。この時、ディスク２０の乗った外辺持ち上げ部１０を加圧するならば、外辺持ち上げ部１０はヒンジ１６を軸として揺動し、ヒンジ１５は浮上し、ボタン部９も、ヒンジ１４を軸として浮上し図５および図６の（ａ）の状態へもどる。
【００２５】
また、着脱部材はプラスチック材料ＰＯＬＹＰＲＯＰＹＬＥＮＥにて成形されることが多いが、薄肉成形の場合そりが発生しやすく、そりが発生した場合、ヒンジ１４、ヒンジ１６間の距離が変わり、ヒンジ１４、ヒンジ１６間の距離が変わった場合、ボタン部９と外辺持ち上げ部１０の動きにクリック感が無くなる。これを防止し、ヒンジ１４、ヒンジ１６間の距離が変わらないようにするため、補強部材１８を設ける場合がある。
【００２６】
本発明の記録媒体を保持する装置に対し、実施例では、円盤状の記録媒体であるＤＶＤディスクにて説明したが、記録媒体は、円盤状記録媒体に限らず方形の記録媒体にも使用することが出来る。
【産業上の利用可能性】
【００２７】
本発明の記録媒体を保持する装置は、ＤＶＤディスクの収納ケースに使用した場合、手の小さな子供にも着脱可能な収納ケースを提供することが出来る。また、記録媒体は、円盤状記録媒体に限らず方形の記録媒体にも使用することが出来る。記録媒体の収納ケースとして利用できる。
【図面の簡単な説明】
【００２８】
【図１】本発明に係る記録媒体を保持する装置を備えた収納ケースの実施例である。
【図２】ＤＶＤ７を収納ケースに収めた状態を示した実施例である。
【図３】着脱部材８の拡大図である。
【図４】着脱部材８の拡大図である。
【図５】ヒンジで繋がった部分の高さ方向を示す断面図である。
【図６】ボタン部９、外周持ち上げ部１０の高さ方向を示す断面図である。
【符号の説明】
【００２９】
１    本体
２    蓋
３    繋ぎ部
４    中央受け部
５    凹部
６    外辺受け台座
７    当り部
８    着脱部材
９    ボタン部
１０  外辺持ち上げ部
１１  外辺フック
１２  凸部位
１３  着脱フック
１４  ヒンジ
１５  ヒンジ
１６  ヒンジ
１７  当り部
１８  補強部材
２０  ディスク
【図５】
2006051955.tif 000003
【図６】
2006051955.tif 000004
【図１】
2006051955.tif 000005
【図２】
2006051955.tif 000006
【図３】
2006051955.tif 000007
【図４】
2006051955.tif 000008